【手続補正書】
【提出日】平成18年2月3日(2006.2.3)
【手続補正１】
【補正対象書類名】明細書
【補正対象項目名】特許請求の範囲
【補正方法】変更
【補正の内容】
【特許請求の範囲】
【請求項１】
入力された画像データをブロックに分割するブロック分割手段と、
分割されたブロック毎に前記画像データを複数の圧縮パラメータに基づいて圧縮符号化し、各圧縮パラメータに対応する符号化データを出力する圧縮符号化手段と、
各圧縮パラメータにおいて、圧縮符号化済みのブロックの累積符号化データ量を算出する符号化データ量積算手段と、
入力された画像データの総符号化データ量の上限値を設定する上限値設定手段と、
前記各圧縮パラメータにおいて、一定のブロック数あたりの最小符号化データ量と前記累積符号化データ量とに基づいて、前記画像データを全て圧縮符号化したときの最小総符号化データ量の予測値を算出する最小総符号化データ量予測手段と、
前記予測値が前記上限値を超えた場合、該当する圧縮パラメータによる圧縮符号化処理を打ち切る制御手段と
を備えることを特徴とする画像圧縮符号化装置。
【請求項２】
入力された画像データをブロックに分割するブロック分割手段と、
分割されたブロック毎に前記画像データを複数の圧縮パラメータに基づいて圧縮符号化し、各圧縮パラメータに対応する符号化データを出力する圧縮符号化手段と、
各圧縮パラメータにおいて、圧縮符号化済みのブロックの累積符号化データ量を算出する符号化データ量積算手段と、
入力された画像データの総符号化データ量の上限値を設定する上限値設定手段と、
前記上限値と、一定のブロック数あたりの最小符号化データ量と、圧縮符号化済みのブロック数とに基づいて算出された閾値を保持する閾値保持手段と、
前記累積符号化データ量が前記閾値を超えた場合、該当する圧縮パラメータによる圧縮符号化処理を打ち切る制御手段と
を備えることを特徴とする画像圧縮符号化装置。
【請求項３】
入力された画像データをブロックに分割するブロック分割手段と、
分割されたブロック毎に前記画像データを複数の圧縮パラメータに基づいて圧縮符号化し、各圧縮パラメータに対応する符号化データを出力する圧縮符号化手段と、
各圧縮パラメータにおいて、圧縮符号化済みのブロックの累積符号化データ量を算出する符号化データ量積算手段と、
入力された画像データの総符号化データ量の上限値を設定する上限値設定手段と、
前記各圧縮パラメータにおいて、一定のブロック数あたりの最大符号化データ量と、前記累積符号化データ量を基に、前記画像データを全て圧縮符号化したときの最大総符号化データ量の予測値を算出する最大総符号化データ量予測手段と、
前記最大総符号化データ量の予測値が前記上限値を超えない場合には、該当する圧縮パラメータよりも圧縮率の高い圧縮パラメータによる圧縮符号化処理を打ち切る処理を行う制御手段と
を備えることを特徴とする画像圧縮符号化装置。
【請求項４】
前記一定のブロック数あたりの最小符号化データ量は、圧縮符号化方式に基づく理論上の最小符号化データ量に基づいて算出されることを特徴とする請求項１又は２に記載の画像圧縮符号化装置。
【請求項５】
前記一定のブロック数あたりの最小符号化データ量は、前記圧縮パラメータ毎に算出されることを特徴とする請求項１又は２に記載の画像圧縮符号化装置。
【請求項６】
前記一定のブロック数あたりの最小符号化データ量は、前記入力画像を形成する光学系の読み取り装置によって読み取られる原稿の種類に基づいて算出されることを特徴とする請求項１又は２に記載の画像圧縮符号化装置。
【請求項７】
前記一定のブロック数あたりの最小符号化データ量は、前記入力画像を形成する光学系の読み取り装置によって前記入力画像に混入される雑音の量に基づいて算出されることを特徴とする請求項１又は２に記載の画像圧縮符号化装置。
【請求項８】
前記一定のブロック数あたりの最小符号化データ量は、前記入力画像の特徴に基づいて算出されることを特徴とする請求項１又は２に記載の画像圧縮符号化装置。
【請求項９】
前記入力画像が前記圧縮符号化手段に入力される前に行われる画像補正処理に応じて前記一定のブロック数あたりの最小符号化データ量が算出されることを特徴とする請求項１又は２に記載の画像圧縮符号化装置。
【請求項１０】
前記一定のブロック数あたりの最大符号化データ量は、前記入力画像の一定のブロック数あたりのデータ量であることを特徴とする請求項３に記載の画像圧縮符号化装置。
【請求項１１】
前記一定のブロック数あたりの最大符号化データ量は、前記圧縮パラメータ毎に算出されることを特徴とする請求項３に記載の画像圧縮符号化装置。
【請求項１２】
前記入力画像が前記圧縮符号化手段に入力される前の補正処理に応じて前記一定のブロック数あたりの最大符号化データ量が算出されることを特徴とする請求項３に記載の画像圧縮符号化装置。
【請求項１３】
前記一定のブロック数あたりの最大符号化データ量は、前記入力画像の特徴に基づいて算出されることを特徴とする請求項３に記載の画像圧縮符号化装置。
【請求項１４】
入力された画像データを圧縮符号化する装置の制御方法であって、
前記画像データをブロックに分割するブロック分割工程と、
分割されたブロック毎に前記画像データを複数の圧縮パラメータに基づいて圧縮符号化し、各圧縮パラメータに対応する符号化データを出力する圧縮符号化工程と、
各圧縮パラメータにおいて、圧縮符号化済みのブロックの累積符号化データ量を算出する符号化データ量積算工程と、
入力された画像データの総符号化データ量の上限値を設定する上限値設定工程と、
前記各圧縮パラメータにおいて、一定のブロック数あたりの最小符号化データ量と前記累積符号化データ量とに基づいて、前記画像データを全て圧縮符号化したときの最小総符号化データ量の予測値を算出する最小総符号化データ量予測工程と、
前記予測値が前記上限値を超えた場合、該当する圧縮パラメータによる圧縮符号化処理を打ち切る制御工程と
を有することを特徴とする制御方法。
【請求項１５】
入力された画像データを圧縮符号化する装置の制御方法であって、
前記画像データをブロックに分割するブロック分割工程と、
分割されたブロック毎に前記画像データを複数の圧縮パラメータに基づいて圧縮符号化し、各圧縮パラメータに対応する符号化データを出力する圧縮符号化工程と、
各圧縮パラメータにおいて、圧縮符号化済みのブロックの累積符号化データ量を算出する符号化データ量積算工程と、
入力された画像データの総符号化データ量の上限値を設定する上限値設定工程と、
前記上限値と、一定のブロック数あたりの最小符号化データ量と、圧縮符号化済みのブロック数とに基づいて算出された閾値を保持する閾値保持工程と、
前記累積符号化データ量が前記閾値を超えた場合、該当する圧縮パラメータによる圧縮符号化処理を打ち切る制御工程と
を有することを特徴とする制御方法。
【請求項１６】
入力された画像データを圧縮符号化する装置の制御方法であって、
前記画像データをブロックに分割するブロック分割工程と、
分割されたブロック毎に前記画像データを複数の圧縮パラメータに基づいて圧縮符号化し、各圧縮パラメータに対応する符号化データを出力する圧縮符号化工程と、
各圧縮パラメータにおいて、圧縮符号化済みのブロックの累積符号化データ量を算出する符号化データ量積算工程と、
入力された画像データの総符号化データ量の上限値を設定する上限値設定工程と、
前記各圧縮パラメータにおいて、一定のブロック数あたりの最大符号化データ量と、前記累積符号化データ量を基に、前記画像データを全て圧縮符号化したときの最大総符号化データ量の予測値を算出する最大総符号化データ量予測工程と、
前記最大総符号化データ量の予測値が前記上限値を超えない場合に、該当する圧縮パラメータよりも圧縮率の高い圧縮パラメータによる圧縮符号化処理を打ち切る処理を行う制御工程と
を有することを特徴とする制御方法。
【請求項１７】
前記請求項１４乃至１６のいずれか１項に記載の制御方法をコンピュータに実行させるためのコンピュータプログラム。
【請求項１８】
前記請求項１７に記載のコンピュータプログラムをコンピュータから読み取り可能な状態に格納したことを特徴とする記録媒体。
【手続補正２】
【補正対象書類名】明細書
【補正対象項目名】００３０
【補正方法】変更
【補正の内容】
【００３０】
【課題を解決するための手段】
上記課題を解決するため、本発明に係る１つの画像圧縮符号化装置によれば、入力された画像データをブロックに分割するブロック分割手段と、分割されたブロック毎に前記画像データを複数の圧縮パラメータに基づいて圧縮符号化し、各圧縮パラメータに対応する符号化データを出力する圧縮符号化手段と、各圧縮パラメータにおいて、圧縮符号化済みのブロック累積符号化データ量を算出する符号化データ量積算手段と、入力された画像データの総符号化データ量の上限値を設定する上限値設定手段と、前記各圧縮パラメータにおいて、一定のブロック数あたりの最小符号化データ量と前記累積符号化データ量とに基づいて、前記画像データを全て圧縮符号化したときの最小総符号化データ量の予測値を算出する最小総符号化データ量予測手段と、前記予測値が前記上限値を超えた場合、該当する圧縮パラメータによる圧縮符号化処理を打ち切る制御手段とを備えることを特徴とする。
尚、本発明における他の特徴については以下で明らかにされる。
【手続補正３】
【補正対象書類名】明細書
【補正対象項目名】００３１
【補正方法】削除
【補正の内容】
【手続補正４】
【補正対象書類名】明細書
【補正対象項目名】００３２
【補正方法】削除
【補正の内容】
【手続補正５】
【補正対象書類名】明細書
【補正対象項目名】００３３
【補正方法】削除
【補正の内容】
【手続補正６】
【補正対象書類名】明細書
【補正対象項目名】００３４
【補正方法】削除
【補正の内容】
【手続補正７】
【補正対象書類名】明細書
【補正対象項目名】００３５
【補正方法】削除
【補正の内容】
【手続補正８】
【補正対象書類名】明細書
【補正対象項目名】００３６
【補正方法】削除
【補正の内容】
【手続補正９】
【補正対象書類名】明細書
【補正対象項目名】００３７
【補正方法】削除
【補正の内容】
【手続補正１０】
【補正対象書類名】明細書
【補正対象項目名】００３８
【補正方法】削除
【補正の内容】